(57)【特許請求の範囲】
【請求項１】
遊技球が転動することが可能な遊技領域を有する遊技盤と、
前記遊技盤を支持する後枠と、
前記後枠に前記遊技盤の下方に位置して設けられ、前記遊技盤に遊技球を発射するための発射レールと、
前記後枠に設けられ、前記後枠を遊技者側である前方から覆う閉鎖状態および前記後枠を前方に開放する開放状態相互間で移動可能な前枠と、
前記前枠に設けられ、前記前枠の閉鎖状態で前記遊技盤の遊技領域を前方から視覚的に認識可能に覆う窓と、
前記後枠に前記遊技盤の外周部に位置して設けられ、前記後枠から前方へ突出するものであって前記遊技盤を取囲む後ガード部および後ガード部の前端部から外側へ突出するものであって後ガード部を取囲む後フランジ部を有する後ガード枠と、
前記後ガード枠に設けられ、前記発射レールから前記後ガード枠を通して前記遊技盤に遊技球が発射されることを許容する開口部と、
前記前枠に前記窓の外周部に位置して設けられ、前記前枠の閉鎖状態で前記前枠から後方へ突出するものであって前後方向から見て前記遊技盤を取囲む前ガード部および前ガード部の後端部から外側へ突出するものであって前ガード部を取囲む前フランジ部を有する前ガード枠と、
前記後枠に設けられ、予め決められたガード位置およびガード位置とは異なるガード解除位置相互間で移動操作されるものであってガード位置に移動操作されることに基づいて前記遊技盤を取囲む複数のガード部材を備え、
前記複数のガード部材のそれぞれは、
前記前枠の閉鎖状態でガード位置に移動操作されることに基づいて前記前枠を閉鎖状態に拘束するように前記前ガード枠の前フランジ部に前方から対向するものであって前記前枠の閉鎖状態でガード解除位置に移動操作されることに基づいて前記前枠が閉鎖状態から開放状態に操作されることを許容するように前記前ガード枠の前フランジ部の前方から退避する前板部と、
前記前枠の閉鎖状態でガード位置に移動操作されることに基づいて前記後ガード枠の後フランジ部に後方から対向するものであって前記前枠の閉鎖状態でガード解除位置に移動操作されることに基づいて前記後ガード枠の後フランジ部の後方から退避する後板部と、
前記前板部および前記後板部を相互に連結するものであって前記前枠の閉鎖状態でガード位置に移動操作されることに基づいて前記前ガード枠の前フランジ部および前記後ガード枠の後フランジ部の双方に外側から対向する連結板部を有していることを特徴とするパチンコ遊技機。
【請求項２】
遊技球が転動することが可能な遊技領域を有する遊技盤と、
前記遊技盤を支持する後枠と、
前記後枠に前記遊技盤の下方に位置して設けられ、前記遊技盤に遊技球を発射するための発射レールと、
前記後枠に設けられ、前記後枠を遊技者側である前方から覆う閉鎖状態および前記後枠を前方に開放する開放状態相互間で移動可能な前枠と、
前記前枠に設けられ、前記前枠の閉鎖状態で前記遊技盤の遊技領域を前方から視覚的に認識可能に覆う窓と、
前記後枠に前記遊技盤の外周部に位置して設けられ、前記後枠から前方へ突出するものであって前記遊技盤を取囲む後ガード部および後ガード部の前端部から外側へ突出するものであって後ガード部を取囲む後フランジ部を有する後ガード枠と、
前記後ガード枠に設けられ、前記発射レールから前記後ガード枠を通して前記遊技盤に遊技球が発射されることを許容する開口部と、
前記前枠に前記窓の外周部に位置して設けられ、前記前枠の閉鎖状態で前記前枠から後方へ突出するものであって前後方向から見て前記遊技盤を取囲む前ガード部および前ガード部の後端部から外側へ突出するものであって前ガード部を取囲む前フランジ部を有する前ガード枠と、
前記前枠に設けられ、予め決められたガード位置およびガード位置とは異なるガード解除位置相互間で移動操作されるものであって前記前枠の閉鎖状態でガード位置に移動操作されることに基づいて前記遊技盤を取囲む複数のガード部材を備え、
前記複数のガード部材のそれぞれは、
前記前枠の閉鎖状態でガード位置に移動操作されることに基づいて前記前ガード枠の前フランジ部に前方から対向するものであって前記前枠の閉鎖状態でガード解除位置に移動操作されることに基づいて前記前ガード枠の前フランジ部の前方から退避する前板部と、
前記前枠の閉鎖状態でガード位置に移動操作されることに基づいて前記前枠を閉鎖状態に拘束するように前記後ガード枠の後フランジ部に後方から対向するものであって前記前枠の閉鎖状態でガード解除位置に移動操作されることに基づいて前記前枠が閉鎖状態から開放状態に操作されることを許容するように前記後ガード枠の後フランジ部の後方から退避する後板部と、
前記前板部および前記後板部を相互に連結するものであって前記前枠の閉鎖状態でガード位置に移動操作されることに基づいて前記前ガード枠の前フランジ部および前記後ガード枠の後フランジ部の双方に外側から対向する連結板部を有していることを特徴とするパチンコ遊技機。
【発明の詳細な説明】
【技術分野】
【０００１】
本発明は前枠を閉鎖状態にロックするロック機構を備えたパチンコ遊技機に関する。
【背景技術】
【０００２】
パチンコ遊技機には後枠の前方に前枠を装着した構成のものがある。この後枠は遊技盤を支持するものであり、前枠は後枠を前方から覆う閉鎖状態および後枠を前方に開放する開放状態相互間で左側部の垂直な軸を中心に回動可能にされている。この前枠は透明な窓を支持するものであり、後枠の遊技盤は前枠の閉鎖状態で前方から窓によって視覚的に認識可能に覆われる。このパチンコ遊技機には前枠を軸とは反対側の右側部で閉鎖状態にロックするロック機構を備えたものがある。このロック機構は前枠を閉鎖状態から開放状態に操作して遊技盤の入賞口に遊技球を手で摘まんで入賞させる不正行為を防止することを目的とするものであり、爪状の係合部および板状の被係合部を有している。これら係合部および被係合部は前枠の閉鎖状態で前後方向に隙間を介して相互に対向するものであり、不正行為者が前枠の閉鎖状態で前枠を閉鎖状態から開放状態に向けて操作したときには係合部および被係合部相互間が接触することに基づいて前枠が開放状態に操作されることを禁止する。
【特許文献１】特開２００３−２２０２５０号公報
【発明の開示】
【発明が解決しようとする課題】
【０００３】
上記パチンコ遊技機の場合、不正行為者が前枠の閉鎖状態で前枠を閉鎖状態から開放状態に向けて操作したときには前枠が同方向に移動するので、前枠および内枠相互間に隙間が発生する。このため、前枠および後枠相互間の隙間を通して遊技盤にピアノ線等の不正器具を挿入し、可変入賞口の扉に不正器具を引掛けて扉を開放する等の不正行為が行われる虞がある。
【０００４】
本発明は上記事情に鑑みてなされたものであり、前枠および後枠相互間から遊技盤に不正器具を挿入する不正行為を困難化することができるパチンコ遊技機を提供することを目的とするものである。
【課題を解決するための手段】
【０００５】
１．請求項１記載のパチンコ遊技機の説明
請求項１記載のパチンコ遊技機は［１］遊技盤〜［９］ガード部材を備えたところに特徴を有している。
［１］遊技盤は遊技球が転動することが可能な遊技領域を有するものである。図２の符号１８は遊技盤に相当し、図２の符号２４は遊技領域に相当する。
［２］後枠は遊技盤を支持するものであり、図２の内枠２は後枠に相当する。
［３］発射レールは後枠に遊技盤の下方に位置して設けられたものであり、遊技盤に遊技球を発射するためのものである。図２の符号１６は発射レールに相当する。
［４］前枠は後枠に設けられたものであり、後枠を遊技者側である前方から覆う閉鎖状態および後枠を前方に開放する開放状態相互間で移動可能なものである。図１の符号４は前枠に相当する。
［５］窓は前枠に設けられたものであり、前枠の閉鎖状態で遊技盤の遊技領域を前方から視覚的に認識可能に覆うものである。図１の符号２３は窓に相当する。
［６］後ガード枠は後枠に遊技盤の外周部に位置して設けられたものであり、後ガード部および後フランジ部を有している。後ガード部は後枠から前方へ突出するものであり、遊技盤を取囲んでいる。後フランジ部は後ガード部の前端部から外側に突出するものであり、後ガード部を取囲んでいる。図２の符号７１は後ガード枠に相当するものであり、図２の符号７２は後ガード部に相当し、図２の符号７３は後フランジ部に相当する。
［７］開口部は後ガード枠に設けられたものであり、発射レールから後ガード枠を通して遊技盤に遊技球が発射されることを許容するものである。図２の符号７４は開口部に相当する。
［８］前ガード枠は前枠に窓の外周部に位置して設けられたものであり、前ガード部および前フランジ部を有している。前ガード部は前枠の閉鎖状態で前枠から後方へ突出するものであり、前後方向から見て遊技盤を取囲むものである。前フランジ部は前ガード部の後端部から外側に突出するものであり、前ガード部を取囲んでいる。図３の符号７５は前ガード枠に相当するものであり、図３の符号７６は前ガード部に相当し、図３の符号７７は前フランジ部に相当する。
［９］複数のガード部材のそれぞれは後枠に設けられたものである。これら複数のガード部材のそれぞれは予め決められたガード位置およびガード位置とは異なるガード解除位置相互間で移動操作されるものであり、ガード位置に移動操作されることに基づいて遊技盤を取囲む。これら複数のガード部材のそれぞれは前板部と後板部と連結板部を有している。前板部は前枠の閉鎖状態でガード部材がガード位置に移動操作されることに基づいて前枠を閉鎖状態に拘束するように前ガード枠の前フランジ部に前方から対向するものであり、前枠の閉鎖状態でガード部材がガード解除位置に移動操作されることに基づいて前枠が閉鎖状態から開放状態に操作されることを許容するように前ガード枠の前フランジ部の前方から退避する。後板部は前枠の閉鎖状態でガード部材がガード位置に移動操作されることに基づいて後ガード枠の後フランジ部に後方から対向するものであり、前枠の閉鎖状態でガード部材がガード解除位置に移動操作されることに基づいて後ガード枠の後フランジ部の後方から退避する。連結板部は前板部および後板部を相互に連結するものであり、前枠の閉鎖状態でガード部材がガード位置に移動操作されることに基づいて前ガード枠の前フランジ部および後ガード枠の後フランジ部の双方に外側から対向する。図５の左上クランプ８６と左下クランプ８７と右上クランプ８８と右下クランプ８９のそれぞれはガード部材に相当するものであり、図５の符号９１は前板部に相当し、図５の符号９２は後板部に相当し、図５の符号９３は連結板部に相当する。
２．請求項２記載のパチンコ遊技機の説明
請求項２記載のパチンコ遊技機は複数のガード部材のそれぞれを前枠に設けた点で請求項１記載のパチンコ遊技機と相違するものであり、複数のガード部材のそれぞれの連結板部は前枠の閉鎖状態でガード部材がガード位置に移動操作されることに基づいて前ガード枠の前フランジ部および後ガード枠の後フランジ部の双方に外側から対向する。複数のガード部材のそれぞれの前板部は前枠の閉鎖状態でガード部材がガード位置に移動操作されることに基づいて前ガード枠の前フランジ部に前方から対向するものであり、前枠の閉鎖状態でガード部材がガード解除位置に移動操作されることに基づいて前ガード枠の前フランジ部の前方から退避する。複数のガード部材のそれぞれの後板部は前枠の閉鎖状態でガード部材がガード位置に移動操作されることに基づいて前枠を閉鎖状態に拘束するように後ガード枠の後フランジ部に後方から対向するものであり、前枠の閉鎖状態でガード部材がガード解除位置に移動操作されることに基づいて前枠が閉鎖状態から開放状態に操作されることを許容するように後ガード枠の後フランジ部の後方から退避する。
【発明の効果】
【０００６】
前枠の閉鎖状態で複数のガード部材のそれぞれがガード解除位置からガード位置に移動操作されたときには複数のガード部材のそれぞれの前板部が前方から前ガード枠の前フランジ部に対向し、複数のガード部材のそれぞれの後板部が後方から後ガード枠の後フランジ部に対向し、複数のガード部材のそれぞれの連結板部が前ガード枠の前フランジ部および後ガード枠の後フランジ部の双方に外側から対向する。この前枠の閉鎖状態で不正行為者が前枠を開放状態に向けて無理に操作したときには前ガード枠の前フランジ部が複数のガード部材のそれぞれの前板部に接触（請求項１記載のパチンコ遊技機）または複数のガード部材のそれぞれの後板部が後ガード枠の後フランジ部に接触（請求項２記載のパチンコ遊技機）するので、前枠が閉鎖状態に拘束される。しかも、前枠に無理な操作力が加えられることに基づいて前ガード枠の前フランジ部および後ガード枠の後フランジ部相互間に隙間が発生した場合でも複数のガード部材のそれぞれの前板部と後板部と連結板部が前フランジ部および後フランジ部相互間の隙間を外側から囲むように覆うので、不正行為者がピアノ線等の不正器具を前フランジ部および後フランジ部相互間の隙間から遊技盤に挿入することが困難になる。
【発明を実施するための最良の形態】
【０００７】
【実施例１】
【０００８】
外枠１は、図１に示すように、複数の木材を前後面が開口する四角筒状に相互に接合することから構成されたものである。この外枠１には、図２に示すように、内枠２が装着されている。この内枠２は外枠１の前面を前方から覆う閉鎖状態および外枠１の前面を前方に開放する開放状態相互間で左側部の垂直な軸３を中心に回動操作可能にされたものであり、内枠ロック機構を介して閉鎖状態にロックされている。この内枠２には、図１に示すように、内枠２の前方に位置して前枠４が装着されている。この前枠４は円形孔状の開口部５を有するものであり、内枠２の前面を前方から覆う閉鎖状態および内枠２の前面を前方に開放する開放状態相互間で内枠２と共通の軸３を中心に回動操作可能にされている。この前枠４には上皿６が固定されている。この上皿６は上面が開口する容器状をなすものであり、内枠２には、図２に示すように、上皿６の後方に位置して上払出口７が固定されている。この上払出口７は前面および後面のそれぞれが開口する四角筒状をなすものであり、上払出口７の前面は前枠４の閉鎖状態で上皿６内に接続される。この上払出口７は遊技球を上皿６内に払出すものであり、上払出口７から上皿６内に払出された遊技球は上皿６内に貯留される。
【０００９】
内枠２には、図１に示すように、前枠４の下方に位置して横長な長方形状の下皿板８が固定されており、下皿板８には上面が開口する容器状の下皿９が固定されている。この内枠２には、図２に示すように、下皿９の後方に位置して下払出口１０が固定されている。この下払出口１０は前面および後面のそれぞれが開口する四角筒状をなすものであり、下払出口１０の前面は下皿９内に接続されている。この下払出口１０は上皿６内から溢れた遊技球を下皿９内に放出するものであり、下払出口１０から下皿９内に放出された遊技球は下皿９内に貯留される。下皿板８には下皿９の右方に位置してハンドル台１１が固定されており、ハンドル台１１には発射ハンドル１２が前後方向へ指向する軸を中心に回動操作可能に装着されている。
【００１０】
内枠２には、図２に示すように、発射ソレノイド１３が装着されている。この発射ソレノイド１３は前後方向へ指向する回転軸１４を有するものであり、発射ソレノイド１３には発射ハンドル１２が予め決められた初期位置から時計回り方向へ回動操作されることに基づいて駆動電源が与えられる。この発射ソレノイド１３の回転軸１４には打球槌１５が連結されており、発射ソレノイド１３は駆動電源が与えられることに基づいて打球槌１５を待機位置および待機位置に比べて反時計回り方向の打球位置相互間で往復的に回転軸１４を中心に回転操作する。図２は打球槌１５が待機位置に操作された状態で示すものである。
【００１１】
内枠２には、図２に示すように、発射レール１６が固定されている。この発射レール１６は打球槌１５が打球位置から待機位置に移動する移動途中に上皿６内から遊技球が１個単位で移送されるものであり、右から左へ向けて上昇する傾斜状をなしている。この発射レール１６の右端部にはストッパ１７が固定されている。このストッパ１７は上皿６内から発射レール１６に移送された遊技球を発射レール１６の右端部から転落しないように支えるものであり、ストッパ１７が支える遊技球は打球槌１５が待機位置から打球位置に移動することに基づいて打球槌１５によって叩かれ、打球槌１５が叩いた遊技球は発射レール１６に沿って右から左へ転動する。
【００１２】
内枠２には、図２に示すように、発射レール１６の上方に位置して垂直な板状の遊技盤１８が装着されており、遊技盤１８には内レール１９と外レール２０と球止め部材２１のそれぞれが固定されている。内レール１９は上面が開口する円弧状をなすものであり、外レール２０は内レール１９の外周部に配置された円弧状をなすものであり、球止め部材２１は内レール１９の右端部および外レール２０の右端部相互間の隙間を塞いでいる。これら内レール１９および外レール２０相互間には左側部に位置して発射通路２２が形成されている。この発射通路２２は下端部および上端部のそれぞれが開口する円弧状をなすものであり、発射レール１６に沿って右から左へ転動する遊技球は発射通路２２内に下端部から進入し、発射通路２２に沿って円弧状の軌跡を描きながら上昇した後に発射通路２２の上端部から放出される。
【００１３】
前枠４の後面には、図３に示すように、透明な窓２３が固定されている。この窓２３は前枠４の開口部５を塞ぐものであり、前枠４の閉鎖状態で遊技盤１８の遊技領域２４を前方から視覚的に認識可能に覆っている。この遊技領域２４は、図２に示すように、内レール１９と外レール２０と球止め部材２１によって囲まれた領域のうち発射通路２２を除く円形状の領域を称するものであり、発射通路２２の上端部から放出された遊技球が転動可能な最大範囲に相当する。この遊技領域２４内には複数の障害釘が固定されており、発射通路２２の上端部から遊技領域２４内に放出された遊技球は障害釘に当りながら遊技領域２４内を転動する。
【００１４】
遊技盤１８の遊技領域２４内には、図２に示すように、始動口２５が固定されている。この始動口２５は上面が開口するポケット状をなすものであり、遊技領域２４内を転動する遊技球は始動口２５内に上面から入賞可能にされている。この始動口２５内には始動口センサが装着されている。この始動口センサは遊技球が始動口２５内に入賞したことを検出して始動信号を出力する近接スイッチからなるものであり、メイン制御回路に接続されている。このメイン制御回路はマイクロコンピュータを主体に構成されたものであり、始動信号を検出することに基づいて遊技球が始動口２５内に入賞したと判断する。
【００１５】
メイン制御回路は遊技球が始動口２５内に入賞したと判断することに基づいて大当りであるか否かを判定するものである。この大当り判定処理は遊技球が始動口２５内に入賞したと判断することに基づいて大当りカウンタの更新結果を検出し、大当りカウンタの検出結果を予め決められた大当り値と比較することで行われるものであり、メイン制御回路は大当りカウンタの検出結果が大当り値と一致している場合に大当りであると判定し、大当りカウンタの検出結果が大当り値と相違している場合に大当りでないと判定する。この大当りカウンタの更新処理は一定時間（例えば４ｍｓｅｃ）が経過する毎に大当りカウンタに単位値（例えば１）を加算することで行われるものであり、予め決められた下限値（例えば０）および予め決められた上限値（例えば１００）の範囲内で循環的に行われる。
【００１６】
遊技盤１８の遊技領域２４内には、図２に示すように、始動口２５の上方に位置して表示台枠２６が固定されている。この表示台枠２６には装飾図柄表示器２７が固定されており、装飾図柄表示器２７の表示内容は前方から窓２３を通して視覚的に認識可能にされている。この装飾図柄表示器２７は液晶表示器からなるものであり、装飾図柄表示器２７には図柄要素が左列と中列と右列の横３列に表示される。この装飾図柄表示器２７は遊技球が始動口２５内に入賞することに基づいて装飾図柄遊技の映像が表示されるものである。この装飾図柄遊技の映像は左列の図柄要素と中列の図柄要素と右列の図柄要素のそれぞれを変動状態および変動停止状態で順に表示するものであり、各列の図柄要素の変動表示は図柄要素を予め決められた順序「１」→「２」→「３」→「４」→「５」→「６」→「７」→「８」→「１」・・・で循環的に変化させることで行われる。
【００１７】
左列の図柄要素と中列の図柄要素と右列の図柄要素の３者は装飾図柄を構成するものであり、装飾図柄の組合せには大当りの組合せおよび外れの組合せが設定されている。大当りの組合せは左列の図柄要素と中列の図柄要素と右列の図柄要素が相互に同一な組合せを称するものであり、メイン制御回路が大当りであると判定したときには装飾図柄遊技で装飾図柄が大当りの組合せとなるように各列の図柄要素が「１」〜「８」のいずれかで変動停止する。外れの組合せは左列の図柄要素と中列の図柄要素と右列の図柄要素が相互に同一ではない組合せを称するものであり、メイン制御回路が大当りでないと判定したときには装飾図柄遊技で装飾図柄が外れの組合せとなるように各列の図柄要素が「１」〜「８」のいずれかで変動停止する。
【００１８】
遊技盤１８の遊技領域２４内には、図２に示すように、始動口２５の下方に位置して特別入賞口２８が固定されている。この特別入賞口２８は前面が開口する横長な箱状をなすものであり、特別入賞口２８には扉２９が水平な軸３０を中心に回動可能に装着されている。この扉２９は特別入賞口ソレノイドの出力軸に連結されており、特別入賞口ソレノイドの断電状態で垂直な閉鎖状態になることに基づいて特別入賞口２８の前面を遊技球が入賞不能に閉鎖する。この扉２９は特別入賞口ソレノイドの通電状態で前方へ水平に倒れた開放状態に回動するものであり、扉２９の開放状態では遊技領域２４内を転動する遊技球が扉２９に乗って特別入賞口２８内に転がり込むことが許容される。
【００１９】
特別入賞口ソレノイドはメイン制御回路に接続されており、メイン制御回路は大当りであると判定したときには装飾図柄遊技で装飾図柄が大当りの組合せで停止表示された直後に特別入賞口ソレノイドを断電状態から通電状態に切換え、特別入賞口２８を閉鎖状態から開放状態に切換える。この特別入賞口２８内にはカウントセンサが装着されている。このカウントセンサは近接スイッチからなるものであり、遊技球が特別入賞口２８内に入賞することに基づいてカウント信号を出力する。このカウントセンサはメイン制御回路に接続されており、メイン制御回路はカウント信号を検出することに基づいて遊技球が特別入賞口２８内に入賞したと判断する。このメイン制御回路には賞球制御回路が接続されている。この賞球制御回路はマイクロコンピュータを主体に構成されたものであり、メイン制御回路は遊技球が始動口２５に入賞したと判断した場合および特別入賞口２８に入賞したと判断した場合のそれぞれに賞球制御回路に賞球コマンドを送信する。
【００２０】
内枠２には、図２に示すように、内枠２の後方に位置してメインセット３１が装着されている。このメインセット３１は内枠２を後方から覆うものであり、メインセット３１には上端部に位置して上面が開口する容器状の球タンク３２が固定されている。この球タンク３２は台島の球補給装置から遊技球が補給されるものであり、台島の球補給装置から球タンク３２内に補給された遊技球は球タンク３２内に貯留される。メインセット３１には賞球払出装置が装着されている。この賞球払出装置は球タンク３２内の遊技球を上払出口７から上皿６内に賞品として払出すものであり、賞球制御回路には賞球払出装置の払出しモータが接続されている。この払出しモータは賞球払出装置の駆動源に相当するものであり、賞球制御回路はメイン制御回路からの賞球コマンドを受信することに基づいて払出しモータを駆動し、球タンク３２内の遊技球を上払出口７から上皿６内に払出す。
【００２１】
内枠２の右側部には、図２に示すように、内枠２の後方に位置してベースプレート４１が固定されている。このベースプレート４１は上下方向へ指向する垂直な板状をなすものであり、ベースプレート４１には２本のピン４２が固定されている。これら両ピン４２のそれぞれはベースプレート４１から右方へ突出する円柱状をなすものであり、ベースプレート４１には２本のピン４２のそれぞれの下方に位置してガイド溝４３が形成されている。これら２本のガイド溝４３のそれぞれは上下方向へ直線的に指向するものであり、２本のガイド溝４３のそれぞれの内面には左右方向へ指向する円柱状のガイドピン４４が挿入されている。これら２本のガイドピン４４のそれぞれはロックプレート４５に固定されたものであり、ロックプレート４５は２本のガイドピン４４のそれぞれがガイド溝４３の内面に沿ってスライドすることに基づいて上下方向へ直線的に移動可能にされている。このロックプレート４５は上下方向へ指向する垂直な板状をなすものであり、ベースプレート４１の左方にベースプレート４１に重ねて配置されている。
【００２２】
ロックプレート４５には、図２に示すように、２本のロックアーム４６が形成されている。これら２本のロックアーム４６のそれぞれはロックプレート４５から前方へ突出するものであり、２本のロックアーム４６のそれぞれの前端部には上方へ突出する爪部４７が形成されている。内枠２には２個の開口部４８が形成されており、２個の爪部４７のそれぞれは開口部４８を通して内枠２の前方に突出している。これら２個の開口部４８のそれぞれは上下方向へ直線的に指向するものであり、ロックプレート４５の移動は２個のロックアーム４６のそれぞれが開口部４８の内面に下方から接触することに基づいて前枠ロック位置で停止し、２個のロックアーム４６のそれぞれが開口部４８の内面に上方から接触することに基づいて前枠ロック位置に比べて下方の前枠ロック解除位置で停止する。
【００２３】
前枠４の右側部には、図３に示すように、２個のプレート４９が固定されており、２個のプレート４９のそれぞれには上下方向へ直線的に指向する開口部５０が形成されている。これら２個の開口部５０のそれぞれは前枠４の閉鎖状態で後方からロックアーム４６の爪部４７が挿入されるものであり、２個の爪部４７のそれぞれはロックプレート４５の前枠ロック位置でプレート４９に係合することに基づいて前枠４が閉鎖状態から開放状態に向けて回動操作されることを禁止し、ロックプレート４５の前枠ロック解除位置でプレート４９から外れることに基づいて前枠４が閉鎖状態から開放状態に向けて回動操作されることを許容する。このロックプレート４５の２本のガイドピン４４のそれぞれには、図２に示すように、ロックスプリング５１の下端部が装着されており、２本のロックスプリング５１のそれぞれの上端部はベースプレート４１のピン４２に装着されている。これら２本のロックスプリング５１のそれぞれは引張りコイルスプリングからなるものであり、ロックプレート４５は２本のロックスプリング５１のばね力で前枠ロック位置に保持されている。
【００２４】
内枠２には、図２に示すように、内枠２の前方に位置して鍵台５２が形成されており、鍵台５２にはシリンダー錠５３が装着されている。この鍵台５２はベースプレート４１およびロックプレート４５の双方の下方に配置されたものであり、図１に示すように、前枠４の閉鎖状態で開口部５４内に挿入されている。この開口部５４は前枠４に形成された切欠状をなすものであり、鍵台５２のシリンダー錠５３は前枠４の閉鎖状態で開口部５４を通して前方に操作可能に露出する。
【００２５】
シリンダー錠５３は、図４に示すように、外筒５５および内筒５６を有するものである。外筒５５は前面および後面のそれぞれが開口するものであり、鍵台５２に回動不能に固定され、内筒５６は外筒５５の内周面に挿入されている。この内筒５６には鍵孔５７が形成されている。この鍵孔５７は内筒５６を軸方向に貫通するものであり、鍵孔５７内には前枠４の閉鎖状態で前方から外筒５５の前面を通して専用の鍵５８が挿入可能にされている。この内筒５６はロック位置およびロック解除位置相互間で前後方向へ延びる軸５９を中心に回転操作可能にされている。ロック位置は、図１に示すように、鍵孔５７が上下方向へ指向する位置を称するものであり、ロック解除位置は鍵孔５７が左右方向へ指向する位置を称するものであり、内筒５５はロック位置から反時計回り方向へ９０°回転することに基づいてロック解除位置に到達する。
【００２６】
シリンダー錠５３の外筒５５には、図４に示すように、２本の溝部６０が形成されている。これら２本の溝部６０のそれぞれは前後方向へ指向する直線状をなすものであり、内筒５６の軸５９を挟んで相互に対向配置されている。内筒５６内には複数のディスク６１が軸方向に並べて装着されており、内筒５６のロック位置では複数のディスク６１のそれぞれがスプリングのばね力で係合位置に保持される。この係合位置とはディスク６１が２本の溝部６０内のいずれかに突出した位置を称するものであり、複数のディスク６１のそれぞれは係合位置で溝部６０の内面に係合することに基づいて内筒５６をロック位置に回転不能に拘束する。
【００２７】
複数のディスク６１のそれぞれには、図４に示すように、開口部６２が形成されており、鍵５８は内筒５６のロック位置で鍵孔５７を通して複数のディスク６１のそれぞれの開口部６２内に挿入されることに基づいて複数のディスク６１のそれぞれをスプリングのばね力に抗して係合位置から係合解除位置に移動操作する。この係合解除位置とはディスク６１が２本の溝部６０内のそれぞれから退避した位置を称するものであり、複数のディスク６１のそれぞれは係合解除位置で溝部６０の内面から外れることに基づいて内筒５６が回転操作されることを許容する。即ち、シリンダー錠５３は前方から鍵５８が挿入されていない状態で内筒５６をロック位置からロック解除位置に回転操作することが不能な施錠状態になるものであり、前方から鍵５８が挿入された状態で内筒５６をロック位置からロック解除位置に回転操作することが可能な解錠状態になる。
【００２８】
シリンダー錠５３の内筒５６は連結ロッドを介してロックプレート４５に連結されている。この連結ロッドは内筒５６のロック位置でロックプレート４５を前枠ロック位置に操作するものであり、内筒５６のロック位置ではロックプレート４５が前枠ロック位置に操作されることに基づいてロックプレート４５の２個の爪部４７のそれぞれが前枠４のプレート４９に係合し、前枠４を閉鎖状態にロックする。この連結ロッドは内筒５６のロック解除位置でロックプレート４５を前枠ロック解除位置に操作するものであり、前枠４が閉鎖状態にロックされた状態で鍵孔５７内に鍵５８を挿入してロック位置から反時計回り方向のロック解除位置に操作したときにはロックプレート４５が前枠ロック位置から前枠ロック解除位置に移動することに基づいてロックプレート４５の２個の爪部４７のそれぞれが前枠４のプレート４９から外れ、前枠４を閉鎖状態および開放状態相互間で操作することが可能になる。
【００２９】
内枠２には、図２に示すように、後ガード枠７１が固定されている。この後ガード枠７１は後ガード部７２および後フランジ部７３を有するものであり、後ガード部７２は内枠２から前方へ突出する部分を称している。この後ガード部７２は遊技盤１８を取囲む四角筒状をなすものであり、左側板と右側板と上板と下板を有している。後フランジ部７３は後ガード部７２の前端部から外側に突出する部分を称している。この後フランジ部７３は後ガード部７２を取囲む垂直な四角枠状をなすものであり、左側板と右側板と上板と下板を有している。この後ガード枠７１の後ガード部７２は遊技盤１８を取囲むように遊技盤１８の外周部に固定されたものであり、後ガード枠７１には後ガード部７２および後フランジ部７３のそれぞれの下板に位置して開口部７４が形成されている。この開口部７４内には発射レール１６の左端部が挿入されており、後ガード枠７１の後ガード部７２および後フランジ部７３のそれぞれは発射レール１６から後ガード枠７１を通して遊技盤１８の発射通路２２内に遊技球が発射されることを許容するように遊技盤１８を取囲んでいる。
【００３０】
前枠４には、図３に示すように、前ガード枠７５が固定されている。この前ガード枠７５は前ガード部７６および前フランジ部７７を有するものであり、前ガード部７６は前枠４の閉鎖状態で前枠４から後方へ突出する部分を称している。この前ガード部７６は窓２３を取囲むように窓２３の外周部に固定されたものである。この前ガード部７６は、図２に示すように、前枠４の閉鎖状態で遊技盤１８を取囲む四角筒状をなすものであり、左側板と右側板と上板と下板を有している。前フランジ部７７は前ガード部７６の後端部から外側に突出する部分を称するものであり、前ガード部７６を取囲む垂直な四角枠状をなしている。この前ガード部７６は前枠４の閉鎖状態で後ガード枠７１の後フランジ部７３に面接触するものであり、左側板と右側板と上板と下板を有している。
【００３１】
内枠２には、図５に示すように、クランプ機構８０が装着されている。このクランプ機構８０はシリンダー錠５３の内筒５６が前枠４の閉鎖状態でロック解除位置からロック位置に操作されることに連動して後ガード枠７１の後フランジ部７３および前ガード枠７５の前フランジ部７７相互間をクランプし、シリンダー錠５３の内筒５６がロック位置からロック解除位置に操作されることに連動して後ガード枠７１の後フランジ部７３および前ガード枠７５の前フランジ部７７相互間をクランプ解除するものであり、次のように構成されている。
【００３２】
内枠２には、図５に示すように、内枠２の前方に位置して左上レール８１と左下レール８２と右上レール８３と右下レール８４のそれぞれが固定されている。これら左上レール８１と左下レール８２と右上レール８３と右下レール８４のそれぞれは直線状のガイド溝８５を有するものであり、左上レール８１のガイド溝８５内には左上クランプ８６のガイドピン９０が挿入され、左下レール８２のガイド溝８５内には左下クランプ８７のガイドピン９０が挿入され、右上レール８３のガイド溝８５内には右上クランプ８８のガイドピン９０が挿入され、右下レール８４のガイド溝８５内には右下クランプ８９のガイドピン９０が挿入されている。これらガイドピン９０のそれぞれは前後方向へ指向する円柱状をなすものであり、左上クランプ８６と左下クランプ８７と右上クランプ８８と右下クランプ８９のそれぞれはガイドピン９０がガイド溝８５の内面に沿ってスライドすることに基づいて直線的に移動可能にされている。
【００３３】
左上クランプ８６と左下クランプ８７と右上クランプ８８と右下クランプ８９のそれぞれは、図５に示すように、前後方向から見て縦板および横板を有するＬ字状をなすものである。これら左上クランプ８６〜右下クランプ８９のそれぞれは内枠２の前方に配置されたものであり、前板部９１および後板部９２を相互に連結板部９３を介して連結してなるものである。これら左上クランプ８６〜右下クランプ８９のそれぞれは断面コ字状をなすものであり、左上クランプ８６〜右下クランプ８９のそれぞれには前板部９１と後板部９２と連結板部９３相互間に位置して空間状のガード収納部９４が形成されている。
【００３４】
左上クランプ８６には、図５に示すように、左上アーム９５が連結されている。この左上アーム９５は左上クランプ８６のガイドピン９０と共通の軸を中心に左上クランプ８６に対して回動可能にされたものであり、左上アーム９５には左アーム９６が前後方向へ指向する軸９７を中心に回動可能に連結されている。この左アーム９６は内枠２に前後方向へ指向する軸９８を中心に回動可能に支持されたものである。この左アーム９６には左下アーム９９が前後方向へ指向する軸１００を中心に回動可能に連結されており、左下アーム９９は左下クランプ８７に左下クランプ８７のガイドピン９０と共通の軸を中心に回動可能に連結されている。
【００３５】
左アーム９６の軸１００は、図５に示すように、上アーム１０１の横長な直線状の上スリット１０２内に移動可能に挿入されている。この上アーム１０１は左右方向へ指向する横長なものであり、上アーム１０１の右端部は上リターンスプリング１０３を介して内枠２に連結されている。この上リターンスプリング１０３は引張りコイルスプリングからなるものであり、上アーム１０１は上リターンスプリング１０３のばね力で右方に付勢されている。これら上リターンスプリング１０３と上アーム１０１と左下アーム９９と左アーム９６と左上アーム９５のそれぞれは遊技盤１８の後方に配置されたものであり、前方から遊技盤１８によって視覚的に認識不能に覆われている。
【００３６】
上アーム１０１には、図５に示すように、上カム溝１０４が形成されており、上カム溝１０４内にはカム１０５の上カム突部１０６が挿入されている。このカム１０５はシリンダー錠５３の内筒５６に同心状に連結されたものであり、内筒５６のロック位置では上カム溝１０４の内面が上リターンスプリング１０３のばね力でカム１０５の上カム突部１０６に左方から係合することに基づいて上アーム１０１がガード位置に停止している。図５は上アーム１０１がガード位置に停止した状態を示すものであり、上アーム１０１のガード位置では左上クランプ８６および左下クランプ８７のそれぞれがガード位置（実線参照）に停止する。
【００３７】
左上クランプ８６のガード位置は前枠４の閉鎖状態で左上クランプ８６のガード収納部９４内に後フランジ部７３の上板と後フランジ部７３の左側板と前フランジ部７７の上板と前フランジ部７７の左側板のそれぞれが挿入される位置であり、左上クランプ８６のガード収納部９４内に後フランジ部７３の上板〜前フランジ部７７の左側板のそれぞれが挿入された状態では左上クランプ８６の前板部９１が前フランジ部７７の上板および前フランジ部７７の左側板のそれぞれに前方から対向し、左上クランプ８６の後板部９２が後フランジ部７３の上板および後フランジ部７３の左側板のそれぞれに後方から対向し、左上クランプ８６の連結板部９３が前フランジ部７７の上板と前フランジ部７７の左側板と後フランジ部７３の上板と後フランジ部７３の左側板のそれぞれに外側から対向し、後フランジ部７３の左上部および前フランジ部７７の左上部相互間が前後方向からクランプされる。
【００３８】
左下クランプ８７のガード位置は前枠４の閉鎖状態で左下クランプ８７のガード収納部９４内に後フランジ部７３の下板と後フランジ部７３の左側板と前フランジ部７７の下板と前フランジ部７７の左側板のそれぞれが挿入される位置であり、左下クランプ８７のガード収納部９４内に後フランジ部７３の下板〜前フランジ部７７の左側板のそれぞれが挿入された状態では左下クランプ８７の前板部９１が前フランジ部７７の下板および前フランジ部７７の左側板のそれぞれに前方から対向し、左下クランプ８７の後板部９２が後フランジ部７３の下板および後フランジ部７３の左側板のそれぞれに後方から対向し、左下クランプ８７の連結板部９３が前フランジ部７７の下板と前フランジ部７７の左側板と後フランジ部７３の下板と後フランジ部７３の左側板のそれぞれに外側から対向し、後フランジ部７３の左下部および前フランジ部７７の左下部相互間が前後方向からクランプされる。
【００３９】
カム１０５の上カム突部１０６は、図５に示すように、内筒５６がロック位置から反時計回り方向のロック解除位置に操作されることに基づいて上アーム１０１の上カム溝１０４の内面を左方へ押圧し、上アーム１０１を上リターンスプリング１０３のばね力に抗してガード位置に比べて左方のガード解除位置に移動操作するものであり、上アーム１０１がガード位置からガード解除位置に移動操作されたときには左上クランプ８６のガイドピン９０が左上レール８１のガイド溝８５に沿って外側へ移動し、左下クランプ８７のガイドピン９０が左下レール８２のガイド溝８５に沿って外側へ移動し、左上クランプ８６および左下クランプ８７のそれぞれがガード解除位置（二点鎖線参照）に停止する。
【００４０】
左上クランプ８６のガード解除位置は前枠４の閉鎖状態で左上クランプ８６のガード収納部９４内から後フランジ部７３の上板と後フランジ部７３の左側板と前フランジ部７７の上板と前フランジ部７７の左側板のそれぞれが外れる位置であり、左上クランプ８６のガード収納部９４内から後フランジ部７３の上板〜前フランジ部７７の左側板のそれぞれが外れた状態では左上クランプ８６の前板部９１が前フランジ部７７の上板および前フランジ部７７の左側板のそれぞれの前方から外側へ退避し、左上クランプ８６の後板部９２が後フランジ部７３の上板および後フランジ部７３の左側板のそれぞれの後方から外側へ退避し、左上クランプ８６の連結板部９３が前フランジ部７７の上板と前フランジ部７７の左側板と後フランジ部７３の上板と後フランジ部７３の左側板のそれぞれから外側へ退避し、後フランジ部７３の左上部および前フランジ部７７の左上部相互間がクランプ解除される。
【００４１】
左下クランプ８７のガード解除位置は前枠４の閉鎖状態で左下クランプ８７のガード収納部９４内から後フランジ部７３の下板と後フランジ部７３の左側板と前フランジ部７７の下板と前フランジ部７７の左側板のそれぞれが外れる位置であり、左下クランプ８７のガード収納部９４内から後フランジ部７３の下板〜前フランジ部７７の左側板のそれぞれが外れた状態では左下クランプ８７の前板部９１が前フランジ部７７の下板および前フランジ部７７の左側板のそれぞれの前方から外側へ退避し、左下クランプ８７の後板部９２が後フランジ部７３の下板および後フランジ部７３の左側板のそれぞれの後方から外側へ退避し、左下クランプ８７の連結板部９３が前フランジ部７７の下板と前フランジ部７７の左側板と後フランジ部７３の下板と後フランジ部７３の左側板のそれぞれから外側へ退避し、後フランジ部７３の左下部および前フランジ部７７の左下部相互間がクランプ解除される。
【００４２】
右上クランプ８８には、図５に示すように、右上アーム１０７が連結されている。この右上アーム１０７は右上クランプ８８のガイドピン９０と共通の軸を中心に右上クランプ８８に対して回動可能にされたものであり、右上アーム１０７には右アーム１０８が前後方向へ指向する軸１０９を中心に回動可能に連結されている。この右アーム１０８は内枠２に前後方向へ指向する軸１１０を中心に回動可能に支持されたものである。この右アーム１０８には右下アーム１１１が前後方向へ指向する軸１１２を中心に回動可能に連結されており、右下アーム１１１は右下クランプ８９に右下クランプ８９のガイドピン９０と共通の軸を中心に回動可能に連結されている。
【００４３】
右アーム１０８には、図５に示すように、前後方向へ指向する軸１１３が固定されており、右アーム１０８の軸１１３は下アーム１１４の横長な直線状の下スリット１１５内に移動可能に挿入されている。この下アーム１１４は左右方向へ指向する横長なものであり、下アーム１１４の右端部は下リターンスプリング１１６を介して内枠２に連結されている。この下リターンスプリング１１６は圧縮コイルスプリングからなるものであり、下アーム１１４は下リターンスプリング１１６のばね力で左方に付勢されている。これら下リターンスプリング１１６と下アーム１１４と右下アーム１１１と右アーム１０８と右上アーム１０７のそれぞれは遊技盤１８の後方に配置されたものであり、前方から遊技盤１８によって視覚的に認識不能に覆われている。
【００４４】
下アーム１１４には、図５に示すように、下カム溝１１７が形成されている。この下カム溝１１７内にはカム１０５の下カム突部１１８が挿入されており、シリンダー錠５３の内筒５６のロック位置では下カム溝１１７の内面が下リターンスプリング１１６のばね力でカム１０５の下カム突部１１７に右方から係合することに基づいて下アーム１１４がガード位置に停止する。図５は下アーム１１４がガード位置に停止した状態を示すものであり、下アーム１１４のガード位置では右上クランプ８８および右下クランプ８９のそれぞれがガード位置（実線参照）に停止する。これら右下クランプ８９と右上クランプ８８と左下クランプ８７と左上クランプ８６のそれぞれのガード位置では右下クランプ８９〜左上クランプ８６が相互に接触し、遊技盤１８が右下クランプ８９〜左上クランプ８６によって取囲まれる。
【００４５】
右上クランプ８８のガード位置は前枠４の閉鎖状態で右上クランプ８８のガード収納部９４内に後フランジ部７３の上板と後フランジ部７３の右側板と前フランジ部７７の上板と前フランジ部７７の右側板のそれぞれが挿入される位置であり、右上クランプ８８のガード収納部９４内に後フランジ部７３の上板〜前フランジ部７７の右側板のそれぞれが挿入された状態では右上クランプ８８の前板部９１が前フランジ部７７の上板および前フランジ部７７の右側板のそれぞれに前方から対向し、右上クランプ８８の後板部９２が後フランジ部７３の上板および後フランジ部７３の右側板のそれぞれに後方から対向し、右上クランプ８８の連結板部９３が前フランジ部７７の上板と前フランジ部７７の右側板と後フランジ部７３の上板と後フランジ部７３の右側板のそれぞれに外側から対向し、後フランジ部７３の右上部および前フランジ部７７の右上部相互間が前後方向からクランプされる。
【００４６】
右下クランプ８９のガード位置は前枠４の閉鎖状態で右下クランプ８９のガード収納部９４内に後フランジ部７３の下板と後フランジ部７３の右側板と前フランジ部７７の下板と前フランジ部７７の右側板のそれぞれが挿入される位置であり、右下クランプ８９のガード収納部９４内に後フランジ部７３の下板〜前フランジ部７７の右側板のそれぞれが挿入された状態では右下クランプ８９の前板部９１が前フランジ部７７の下板および前フランジ部７７の右側板のそれぞれに前方から対向し、右下クランプ８９の後板部９２が後フランジ部７３の下板および後フランジ部７３の右側板のそれぞれに後方から対向し、右下クランプ８９の連結板部９３が前フランジ部７７の下板と前フランジ部７７の右側板と後フランジ部７３の下板と後フランジ部７３の右側板のそれぞれに外側から対向し、後フランジ部７３の右下部および前フランジ部７７の右下部相互間が前後方向からクランプされる。
【００４７】
カム１０５の下カム突部１１８は、図５に示すように、内筒５６がロック位置から反時計回り方向のロック解除位置に操作されることに基づいて下アーム１１４の下カム溝１１７の内面を右方へ押圧し、下アーム１１４を下リターンスプリング１１６のばね力に抗してガード位置に比べて右方のガード解除位置に移動操作するものであり、下アーム１１４がガード位置からガード解除位置に移動操作されたときには右上クランプ８８のガイドピン９０が右上レール８３のガイド溝８５に沿って外側へ移動し、右下クランプ８９のガイドピン９０が右下レール８４のガイド溝８５に沿って外側へ移動し、右上クランプ８８および右下クランプ８９のそれぞれがガード解除位置（二点鎖線参照）に停止する。
【００４８】
右上クランプ８８のガード解除位置は前枠４の閉鎖状態で右上クランプ８８のガード収納部９４内から後フランジ部７３の上板と後フランジ部７３の右側板と前フランジ部７７の上板と前フランジ部７７の右側板のそれぞれが外れる位置であり、右上クランプ８８のガード収納部９４内から後フランジ部７３の上板〜前フランジ部７７の右側板のそれぞれが外れた状態では右上クランプ８８の前板部９１が前フランジ部７７の上板および前フランジ部７７の右側板のそれぞれの前方から外側へ退避し、右上クランプ８８の後板部９２が後フランジ部７３の上板および後フランジ部７３の右側板のそれぞれの後方から外側へ退避し、右上クランプ８８の連結板部９３が前フランジ部７７の上板と前フランジ部７７の右側板と後フランジ部７３の上板と後フランジ部７３の右側板のそれぞれから外側へ退避し、後フランジ部７３の右上部および前フランジ部７７の右上部相互間がクランプ解除される。
【００４９】
右下クランプ８９のガード解除位置は前枠４の閉鎖状態で右下クランプ８９のガード収納部９４内から後フランジ部７３の下板と後フランジ部７３の右側板と前フランジ部７７の下板と前フランジ部７７の右側板のそれぞれが外れる位置であり、右下クランプ８９のガード収納部９４内から後フランジ部７３の下板〜前フランジ部７７の右側板のそれぞれが外れた状態では右下クランプ８９の前板部９１が前フランジ部７７の下板および前フランジ部７７の右側板のそれぞれの前方から外側へ退避し、右下クランプ８９の後板部９２が後フランジ部７３の下板および後フランジ部７３の右側板のそれぞれの後方から外側へ退避し、右下クランプ８９の連結板部９３が前フランジ部７７の下板と前フランジ部７７の右側板と後フランジ部７３の下板と後フランジ部７３の右側板のそれぞれから外側へ退避し、後フランジ部７３の右下部および前フランジ部７７の右下部相互間がクランプ解除される。
【００５０】
前枠４の閉鎖状態でシリンダー錠５３の内筒５６がロック位置に操作されている場合にはロックプレート４５が前枠ロック位置に移動し、図３に示すように、ロックプレート４５の２個の爪部４７のそれぞれが前枠４のプレート４９に前方から係合している。これと共に左上クランプ８６と左下クランプ８７と右上クランプ８８と右下クランプ８９のそれぞれがガード位置に移動し、図５に示すように、左上クランプ８６〜右下クランプ８９のそれぞれの前板部９１が前方から前ガード枠７５の前フランジ部７７に対向し、左上クランプ８６〜右下クランプ８９のそれぞれの後板部９２が後方から後ガード枠７１の後フランジ部７３に対向し、左上クランプ８６〜右下クランプ８９のそれぞれの連結板部９３が前ガード枠７５の前フランジ部７７および後ガード枠７１の後フランジ部７３の双方に外側から対向している。この前枠４の閉鎖状態で不正行為者が前枠４を開放状態に向けて無理に操作したときには前枠４の２個のプレート４９のそれぞれがロックプレート４５の爪部４７に密着し、前ガード枠７５の前フランジ部７７が左上クランプ８６〜右下クランプ８９のそれぞれの前板部９１に密着するので、前枠４が閉鎖状態にロックされる。
【００５１】
前枠４の閉鎖状態でシリンダー錠５３の鍵孔５７内に鍵５８が挿入された場合にはシリンダー錠５３が施錠状態から解錠状態に切換わる。この鍵５８の挿入状態で鍵５８が操作されることに基づいてシリンダー錠５３の内筒５６がロック位置からロック解除位置に回転操作されたときにはロックプレート４５が前枠ロック位置から前枠ロック解除位置に移動し、ロックプレート４５の２個の爪部４７のそれぞれが前枠４のプレート４９から外れる。これと共にカム１０５がガード位置から反時計回り方向のガード解除位置に回転し、カム１０５の上カム突部１０６が上アーム１０１のカム溝１０４の内面を左方へ押圧し、カム１０５の下カム突部１１８が下アーム１１４のカム溝１１７の内面を右方へ押圧する。すると、上アーム１０１がリターンスプリング１０３のばね力に抗してガード位置から左方のガード解除位置に移動し、下アーム１１４がリターンスプリング１１６のばね力に抗してガード位置から右方のガード解除位置に移動するので、左上クランプ８６と左下クランプ８７と右上クランプ８８と右下クランプ８９のそれぞれがガード位置からガード解除位置に移動する。これら左上クランプ８６〜右下クランプ８９のそれぞれのガード解除位置では左上クランプ８６〜右下クランプ８９のそれぞれの前板部９１が前ガード枠７５の前フランジ部７７の前方から外側に退避し、左上クランプ８６〜右下クランプ８９のそれぞれの後板部９２が後ガード枠７１の後フランジ部７３の後方から外側に退避し、左上クランプ８６〜右下クランプ８９のそれぞれの連結板部９３が前ガード枠７５の前フランジ部７７および後ガード枠７１の後フランジ部７３の双方から外側へ遠ざかる。このため、前枠４がロック解除されるので、前枠４を閉鎖状態から開放状態に操作することが可能になる。
【００５２】
前枠４の閉鎖状態で鍵５８が操作されることに基づいてシリンダー錠５３の内筒５６がロック解除位置からロック位置に回転操作されたときにはロックプレート４５が前枠ロック解除位置から前枠ロック位置に移動し、ロックプレート４５の２個の爪部４７のそれぞれが前枠４のプレート４９に係合する。これと共にカム１０５がガード解除位置から時計回り方向のガード位置に回転し、カム１０５の上カム突部１０６が上アーム１０１のカム溝１０４の内面から離間し、カム１０５の下カム突部１１８が下アーム１１４のカム溝１１７の内面から離間する。すると、上アーム１０１がリターンスプリング１０３のばね力でガード解除位置から右方のガード位置に移動し、下アーム１１４がリターンスプリング１１６のばね力でガード解除位置から左方のガード位置に移動するので、左上クランプ８６と左下クランプ８７と右上クランプ８８と右下クランプ８９のそれぞれがガード解除位置からガード位置に移動し、前枠４が閉鎖状態にロックされる。
【００５３】
上記実施例１によれば次の効果を奏する。
前枠４の閉鎖状態でシリンダー錠５３の内筒５６がロック位置に操作されている場合には前枠４が閉鎖状態にロックされている。この前枠４のロック状態で不正行為者が前枠４を開放状態に向けて無理に操作したときには前ガード枠７５の前フランジ部７７が左上クランプ８６〜右下クランプ８９のそれぞれの前板部９１に密着し、前ガード枠７５の前フランジ部７７および後ガード枠７１の後フランジ部７３相互間に隙間が発生する。この状態では左上クランプ８６〜右下クランプ８９のそれぞれの前板部９１と後板部９２と連結板部９３が前フランジ部７７および後フランジ部７３相互間の隙間を外側からコ字状に覆うので、不正行為者がピアノ線等の不正器具を前フランジ部７７および後フランジ部７３相互間の隙間から遊技盤１８内に挿入することが困難になる。
【００５４】
上記実施例１においては、カム１０５をモータの回転軸に連結しても良い。この構成の場合、シリンダー錠５３の内筒５６がロック位置に操作されたことを検出する第１のセンサおよびロック解除位置に操作されたことを検出する第２のセンサを設け、モータを第１のセンサおよび第２のセンサの双方の検出結果に応じて制御することに基づいて左上クランプ８６〜右下クランプ８９のそれぞれをガード位置およびガード解除位置相互間で操作すると良い。
【００５５】
上記実施例１においては、カム１０５をモータの回転軸に連結し、遠隔操作装置からモータに電波または赤外線または電磁波等の空中伝播信号を送信することに基づいてカム１０５を回転操作し、左上クランプ８６〜右下クランプ８９のそれぞれをガード位置およびガード解除位置相互間で遠隔操作しても良い。この構成の場合、シリンダー錠５３を廃止することができる。
【実施例２】
【００５６】
左上クランプ８６には、図６に示すように、クランク状の左上アーム１２１が連結されている。この左上アーム１２１は左上クランプ８６のガイドピン９０と共通の軸を中心に左上クランプ８６に対して回動可能にされたものであり、左上アーム１２１にはカム溝１２２が形成されている。このカム溝１２２内には従動カム１２３の左上カム突部１２４が係合されている。この従動カム１２３は内枠２に前後方向へ指向する軸１２８を中心に回転可能に支持されたものであり、左上カム突部１２４と左下カム突部１２５と右上カム突部１２６と右下カム突部１２７を有している。左下クランプ８７にはクランク状の左下アーム１２９が連結されており、左下アーム１２９にはカム溝１３０が形成されている。この左下アーム１２９は左下クランプ８７のガイドピン９０と共通の軸を中心に左下クランプ８７に対して回動可能にされたものであり、左下アーム１２９のカム溝１３０内には従動カム１２３の左下カム突部１２５が係合されている。
【００５７】
右上クランプ８８には、図６に示すように、直線状の右上アーム１３１が連結されており、右上アーム１３１にはカム溝１３２が形成されている。この右上アーム１３１は右上クランプ８８のガイドピン９０と共通の軸を中心に右上クランプ８８に対して回動可能にされたものであり、右上アーム１３１のカム溝１３２内には従動カム１２３の右上カム突部１２６が係合されている。右下クランプ８９にはクランク状の右下アーム１３３が連結されており、右下アーム１３３にはカム溝１３４が形成されている。この右下アーム１３３は右下クランプ８９のガイドピン９０と共通の軸を中心に右下クランプ８９に対して回動可能にされたものであり、右下アーム１３３のカム溝１３４内には従動カム１２３の右下カム突部１２７が係合されている。
【００５８】
従動カム１２３の軸１２８には、図６に示すように、ギア１３５が同心状に固定されている。このギア１３５は円周方向の全領域に歯部が形成されたものであり、ギア１３５にはアーム１３６の直線状のギア部１３７が噛合されている。このアーム１３６は左右方向へ指向する直線状をなすものであり、アーム１３６の右端部はリターンスプリング１３８を介して内枠２に連結されている。このリターンスプリング１３８は圧縮コイルスプリングからなるものであり、アーム１３６はリターンスプリング１３８のばね力で左方に付勢されている。このアーム１３６にはカム溝１３９が形成されており、カム溝１３９内には主動カム１４０のカム突部１４１が係合されている。この主動カム１４０は内枠２に前後方向へ指向する軸１４２を中心に回転可能に支持されたものである。これら主動カム１４０とリターンスプリング１３８とアーム１３６とギア１３５と右下アーム１３３と右上アーム１３１と左下アーム１２９と従動カム１２３と左上アーム１２１のそれぞれは遊技盤１８の後方に配置されたものであり、遊技盤１８は主動カム１４０〜左上アーム１２１のそれぞれを前方から視覚的に認識不能に覆っている。
【００５９】
主動カム１４０はシリンダー錠５３の内筒５６に連結されたものであり、シリンダー錠５３の内筒５６がロック位置に停止している状態でガード位置に停止する。図６は主動カム１４０がガード位置に停止した状態を示すものであり、主動カム１４０のガード位置ではアーム１３６のカム溝１３９の内面が右方から主動カム１４０のカム突部１４１に係合することでアーム１３６がガード位置に停止し、ギア１３５および従動カム１２３のそれぞれが回転停止している。この主動カム１４０のガード位置では左上クランプ８６と左下クランプ８７と右上クランプ８８と右下クランプ８９のそれぞれがガード位置に拘束されている。
【００６０】
シリンダー錠５３の内筒５６がロック位置からロック解除位置に回転操作されたときには主動カム１４０がガード位置から反時計回り方向のガード解除位置に回転し、主動カム１４０のカム突部１４１がカム溝１３９の内面をリターンスプリング１３８のばね力に抗して右方へ押圧するので、アーム１３６がガード位置から右方のガード解除位置に移動する。すると、従動カム１２３がアーム１３６のギア部１３７を介してガード位置から反時計回り方向のガード解除位置へ回転操作され、左上クランプ８６と左下クランプ８７と右上クランプ８８と右下クランプ８９のそれぞれがガード位置からガード解除位置に移動する。
【００６１】
シリンダー錠５３の内筒５６がロック解除位置からロック位置に回転操作されたときには主動カム１４０がガード解除位置から時計回り方向のガード位置に回転し、主動カム１４０のカム突部１４１がカム溝１３９の内面から離間する。すると、アーム１３６がリターンスプリング１３８のばね力でガード解除位置から左方のガード位置に移動するので、従動カム１２３がアーム１３６のギア部１３７を介してガード解除位置から時計回り方向のガード位置へ回転操作され、左上クランプ８６と左下クランプ８７と右上クランプ８８と右下クランプ８９のそれぞれがガード解除位置からガード位置に移動する。
【００６２】
上記実施例２においては、主動カム１４０をモータの回転軸に連結しても良い。この構成の場合、シリンダー錠５３の内筒５６がロック位置に操作されたことを検出する第１のセンサおよびロック解除位置に操作されたことを検出する第２のセンサを設け、モータを第１のセンサおよび第２のセンサの双方の検出結果に応じて制御することに基づいて左上クランプ８６〜右下クランプ８９のそれぞれをガード位置およびガード解除位置相互間で操作すると良い。
【００６３】
上記実施例１〜２のそれぞれにおいては、左上クランプ８６と左下クランプ８７と右上クランプ８８と右下クランプ８９のそれぞれを電磁ソレノイド等の専用の電気的なアクチュエータに連結し、左上クランプ８６用のアクチュエータ〜右下クランプ８９用のアクチュエータのそれぞれを第１のセンサおよび第２のセンサの双方の検出結果に応じて制御することに基づいて左上クランプ８６〜右下クランプ８９のそれぞれをガード位置およびガード解除位置相互間で操作しても良い。または、遠隔操作装置から左上クランプ８６用のアクチュエータ〜右下クランプ８９用のアクチュエータのそれぞれに空中伝播信号を送信することに基づいて左上クランプ８６〜右下クランプ８９のそれぞれをガード位置およびガード解除位置相互間で遠隔操作しても良い。
【実施例３】
【００６４】
前枠４の後面には窓２３の外周部に位置して左上レール８１と左下レール８２と右上レール８３と右下レール８４のそれぞれが固定されている。左上レール８１のガイド溝８５内には、図７に示すように、左上クランプ８６のガイドピン９０が挿入され、左下レール８２のガイド溝８５内には左下クランプ８７のガイドピン９０が挿入され、右上レール８３のガイド溝８５内には右上クランプ８８のガイドピン９０が挿入され、右下レール８４のガイド溝８５内には右下クランプ８９のガイドピン９０が挿入されており、左上クランプ８６と左下クランプ８７と右上クランプ８８と右下クランプ８９のそれぞれはガイドピン９０がガイド溝８５の内面に沿ってスライドすることに基づいてガード位置およびガード解除位置相互間で移動可能にされている。これら左上クランプ８６〜右下クランプ８９のそれぞれには２個のスプリング受け１５１が固定されており、隣接する２個のスプリング受け１５１相互間には圧縮コイルスプリング１５２が介在されている。
【００６５】
左上クランプ８６と左下クランプ８７と右上クランプ８８と右下クランプ８９のそれぞれには、図７に示すように、ワイヤガイド１５３が固定されている。これら４個のワイヤガイド１５３のそれぞれは前後方向から見て縦板および横板を有するＬ字状をなすものであり、断面形状がコ字形をなしている。左上クランプ８６と左下クランプ８７と右上クランプ８８と右下クランプ８９のそれぞれには連結板部９３の外面に位置して共通のワイヤ１５４が巻付けられており、４個のワイヤガイド１５３のそれぞれはワイヤ１５４を覆っている。このワイヤ１５４の一端部には、図８に示すように、リング１５５が固定されている。このリング１５５は右下クランプ８９のワイヤガイド１５３内に固定されたものであり、リング１５５内にはワイヤ１５４の他端部が挿入されている。
【００６６】
前枠４には、図８に示すように、ドラム１５６が装着されており、ワイヤ１５４の他端部は右下クランプ８９のワイヤガイド１５３を貫通してドラム１５６に連結されている。このドラム１５６は前枠４に前後方向へ指向する軸１５７を中心に回転可能に支持されたものであり、ワイヤ１５４の他端部はドラム１５６の外周面に反時計回り方向に巻回されている。このドラム１５６には従動ギア１５８が同心状に固定されており、従動ギア１５８には主動ギア１５９が噛合されている。この主動ギア１５９は従動ギア１５８に比べて直径寸法が大きく設定されたものであり、前枠４に前後方向へ指向する軸１６０を中心に回転可能に支持されている。この主動ギア１５９にはシリンダー錠５３の内筒５６が同心状に連結されている。このシリンダー錠５３は前枠４に前方から操作可能に装着されたものであり、主動ギア１５９はシリンダー錠５３の内筒５６がロック位置に回転操作されることに基づいてガード位置に回転し、シリンダー錠５３の内筒５６がロック解除位置に回転操作されることに基づいてガード解除位置に回転する。
【００６７】
図８は主動ギア１５９がガード位置に停止した状態を示すものであり、主動ギア１５９のガード位置ではシリンダー錠５３の複数のディスク６１のそれぞれが溝部６０の内面に係合する係合力で内筒５６が回転不能にロックされ、主動ギア１５９がシリンダー錠５３の内筒５６を介して回転不能にロックされている。この状態ではドラム１５６が従動ギア１５８を介して回転不能にロックされているので、左上クランプ８６と左下クランプ８７と右上クランプ８８と右下クランプ８９のそれぞれがスプリング１５２のばね力に抗してガード位置に保持されている。これら左上クランプ８６〜右下クランプ８９のそれぞれがガード位置に保持された状態では左上クランプ８６〜右下クランプ８９のそれぞれの前板部９１が前ガード枠７５の前フランジ部７７に前方から対向し、左上クランプ８６〜右下クランプ８９のそれぞれの後板部９２が後ガード枠７１の後フランジ部７３に後方から対向し、左上クランプ８６〜右下クランプ８９のそれぞれの連結板部９３が前ガード枠７５の前フランジ部７７および後ガード枠７１の後フランジ部７３の双方に外側から対向している。
【００６８】
シリンダー錠５３の内筒５６がロック位置から反時計回り方向のロック解除位置に回転操作されたときには主動ギア１５９がガード位置から反時計回り方向のガード解除位置に回転し、ドラム１５６が従動ギア１５８を介して時計回り方向へ回転する。すると、ワイヤ１５４の他端部がドラム１５６から巻戻されるので、左上クランプ８６と左下クランプ８７と右上クランプ８８と右下クランプ８９のそれぞれがスプリング１５２のばね力でガード位置からガード解除位置に移動する。これら左上クランプ８６〜右下クランプ８９のそれぞれのガード解除位置では左上クランプ８６〜右下クランプ８９のそれぞれの前板部９１が前ガード枠７５の前フランジ部７７の前方から外側へ退避し、左上クランプ８６〜右下クランプ８９のそれぞれの後板部９２が後ガード枠７１の後フランジ部７３の後方から外側へ退避し、左上クランプ８６〜右下クランプ８９のそれぞれの連結板部９３が前ガード枠７５の前フランジ部７７および後ガード枠７１の後フランジ部７３の双方から外側へ退避する。
【００６９】
シリンダー錠５３の内筒５６がロック解除位置から時計回り方向のロック位置に操作されたときには主動ギア１５９がガード解除位置から時計回り方向のガード位置に回転し、ドラム１５６が従動ギア１５８を介して反時計回り方向へ回転する。すると、ワイヤ１５４の他端部がドラム１５６に巻取られるので、左上クランプ８６と左下クランプ８７と右上クランプ８８と右下クランプ８９のそれぞれがスプリング１５２のばね力に抗してガード解除位置からガード位置に移動する。即ち、左上クランプ８６〜右下クランプ８９のそれぞれはシリンダー錠５３の内筒５６がロック位置に操作されることに連動してガード位置に移動し、シリンダー錠５３の内筒５６がロック解除位置に操作されることに連動してガード解除位置に移動する。ドラム１５６と従動ギア１５８と主動ギア１５９のそれぞれは巻取り機構を構成するものであり、図７に示すように、共通のリールケース１６１内に収納されている。このリールケース１６１は前枠４に固定されたものであり、前枠４の後方に前方から視覚的に認識不能に配置されている。
【００７０】
上記実施例３によれば次の効果を奏する。
前枠４の閉鎖状態でシリンダー錠５３の内筒５６がロック位置に操作されている場合には左上クランプ８６〜右下クランプ８９のそれぞれの後板部９２が後方から後ガード枠７１の後フランジ部７３に対向する。この前枠４の閉鎖状態で不正行為者が前枠４を開放状態に向けて無理に操作したときには左上クランプ８６〜右下クランプ８９のそれぞれの後板部９２が後ガード枠７１の後フランジ部７３に接触するので、前枠４が閉鎖状態に拘束される。しかも、前枠４に無理な操作力が加えられることに基づいて前ガード枠７５の前フランジ部７７および後ガード枠７１の後フランジ部７３相互間に隙間が発生した場合でも左上クランプ８６〜右下クランプ８９のそれぞれの前板部９１と後板部９２と連結板部９３が前フランジ部７７および後フランジ部７３相互間の隙間を外側からコ字状に囲うので、不正行為者がピアノ線等の不正器具を前フランジ部７７および後フランジ部７３相互間の隙間から遊技盤１８内に挿入することが困難になる。
【実施例４】
【００７１】
リールケース１６１には、図９に示すように、連結具１７１が固定されており、連結具１７１にはワイヤ１５４の一端部が連結されている。このワイヤ１５４の一端部は右下クランプ８９のワイヤガイド１５３を貫通して外部に突出するものであり、シリンダー錠５３の内筒５６がロック位置からロック解除位置に回転操作されたときにはワイヤ１５４の他端部がドラム１５６から巻戻されることに基づいて左上クランプ８６と左下クランプ８７と右上クランプ８８と右下クランプ８９のそれぞれがスプリング１５２のばね力でガード位置からガード解除位置に移動し、シリンダー錠５３の内筒５６がロック解除位置からロック位置に回転操作されたときにはワイヤ１５４の他端部がドラム１５６に巻取られることに基づいて左上クランプ８６〜右下クランプ８９のそれぞれがスプリング１５２のばね力に抗してガード解除位置からガード位置に移動する。
【００７２】
上記実施例３〜４のそれぞれにおいては、左上クランプ８６と左下クランプ８７と右上クランプ８８と右下クランプ８９と巻取り機構のそれぞれを内枠２に装着しても良い。
上記実施例３〜４のそれぞれにおいては、ドラム１５６をモータによって回転操作する構成としても良い。この構成の場合、シリンダー錠５３の内筒５６がロック位置に操作されたことを検出する第１のセンサおよびロック解除位置に操作されたことを検出する第２のセンサを設け、モータの回転方向を第１のセンサおよび第２のセンサのそれぞれの検出結果に応じて制御することに基づいてワイヤ１５４をドラム１５６に対して出し入れすると良い。
【００７３】
上記実施例３〜４のそれぞれにおいては、ドラム１５６をモータの回転軸に連結し、遠隔操作装置からモータに空中伝播信号を送信することに基づいてドラム１５６を回転操作し、左上クランプ８６〜右下クランプ８９のそれぞれをガード位置およびガード解除位置相互間で遠隔操作しても良い。
【実施例５】
【００７４】
前枠４の後面には窓２３の外周部に位置して左上レール８１と左下レール８２と右上レール８３と右下レール８４のそれぞれが固定されている。左上レール８１のガイド溝８５内には、図１０に示すように、左上クランプ８６のガイドピン９０が挿入され、左下レール８２のガイド溝８５内には左下クランプ８７のガイドピン９０が挿入され、右上レール８３のガイド溝８５内には右上クランプ８８のガイドピン９０が挿入され、右下レール８４のガイド溝８５内には右下クランプ８９のガイドピン９０が挿入されており、左上クランプ８６と左下クランプ８７と右上クランプ８８と右下クランプ８９のそれぞれはガイドピン９０がガイド溝８５の内面に沿ってスライドすることに基づいてガード位置およびガード解除位置相互間で移動可能にされている。
【００７５】
左上クランプ８６および左下クランプ８７相互間と左下クランプ８７および右下クランプ８９相互間と右下クランプ８９および右上クランプ８８相互間と右上クランプ８８および左上クランプ８６相互間のそれぞれには、図１０に示すように、ケース１８１が装着されている。これら４個のケース１８１のそれぞれは２個のスライドケース１８２を相互にスライド可能に接続することから構成されたものであり、左上クランプ８６〜右下クランプ８９のそれぞれのガード位置で縮小状態になり、左上クランプ８６〜右下クランプ８９のそれぞれのガード解除位置で縮小状態に比べて相互に離れた伸張状態になる。図１０の（ａ）は４個のケース１８１のそれぞれを縮小状態で示すものであり、図１０の（ｂ）は４個のケース１８１のそれぞれを伸張状態で示すものである。
【００７６】
左上クランプ８６〜右下クランプ８９のそれぞれの両端部には、図１１に示すように、ジョイントブラケット１８３が固定されている。これら８個のジョイントブラケット１８３のそれぞれはケース１８１内に収納されたものであり、８個のジョイントブラケット１８３のそれぞれには球状の内周面を有するジョイント部１８４が形成されている。４個のケース１８１のそれぞれの内部にはボールジョイント１８５が収納されている。これら４個のボールジョイント１８５のそれぞれは２本のロッド１８６を共通のジョイント部１８７を介して相互に接続してなるものであり、２本のロッド１８６のそれぞれの先端部にはボール１８８が固定されている。これら８個のボール１８８のそれぞれはジョイントブラケット１８３のジョイント部１８４の内周面に嵌合されており、４個のボールジョイント１８５のそれぞれのジョイント部１８７はボール１８８がジョイントブラケット１８３のジョイント部１８４の内周面に沿って自転可能な範囲内で移動可能にされている。
【００７７】
４個のケース１８１のそれぞれの内部には、図１１に示すように、プレート１８９が固定されており、４個のプレート１８９のそれぞれにはワイヤホルダ１９０が固定されている。これら４個のワイヤホルダ１９０のそれぞれは両端面のそれぞれが開口する円筒状をなすものであり、４個のワイヤホルダ１９０のそれぞれの内周面には従動ワイヤ１９１の一端部が挿入されている。これら４本の従動ワイヤ１９１のそれぞれはワイヤホルダ１９０の軸方向に沿ってスライド可能にされたものであり、４本の従動ワイヤ１９１のそれぞれの一端部にはボール１９２が固定されている。これら４個のボール１９２のそれぞれはケース１８１内でボールジョイント１８５のジョイント部１８７に嵌合されたものであり、４本の従動ワイヤ１９１の外周部にはボール１９２およびプレート１８９相互間に位置して圧縮コイルスプリング１９３が挿入されている。
【００７８】
前枠４には、図１０に示すように、前枠４の後方に位置してギアケース１９４が固定されており、４本のワイヤ１９１のそれぞれの他端部はギアケース１９４の内部に挿入されている。このギアケース１９４の内部には、図１２に示すように、プレート１９５が固定されており、プレート１９５にはワイヤホルダ１９６が固定されている。このワイヤホルダ１９６は両端面のそれぞれが開口する円筒状をなすものであり、ワイヤホルダ１９６の内周面には主動ワイヤ１９７が軸方向へスライド可能に挿入されている。この主動ワイヤ１９７の一端部には４本の従動ワイヤ１９１のそれぞれの他端部がギアケース１９４の内部で接続されており、主動ワイヤ１９７の他端部には直線状のギア１９８が接続されている。
【００７９】
ギアケース１９４の内部には、図１２に示すように、ギア１９９が収納されており、ギア１９９は主動ワイヤ１９７のギア１９８に噛合されている。このギア１９９は前枠４に前後方向へ指向する軸２００を中心に回転可能に支持されたものであり、シリンダー錠５３の内筒５６に連結されている。このシリンダー錠５３は前枠４に前方から操作可能に装着されたものであり、ギア１９９はシリンダー錠５３の内筒５６がロック位置に回転操作されることに連動してガード位置に回転し、シリンダー錠５３の内筒５６がロック解除位置に回転操作されることに連動してガード解除位置に回転する。
【００８０】
前枠４の閉鎖状態でシリンダー錠５３の内筒５６がロック位置に停止しているときにはシリンダー錠５３の複数のディスク６１のそれぞれが溝部６０の内面に係合する係合力で内筒５６が回転不能にロックされ、ギア１９９がシリンダー錠５３の内筒５６を介してガード位置に回転不能にロックされている。この状態では、図１１の（ａ）に示すように、４本の従動ワイヤ１９１のそれぞれがスプリング１９３のばね力に抗してギア１９９側に引付けられているので、左上クランプ８６と左下クランプ８７と右上クランプ８８と右下クランプ８９のそれぞれがガード位置に保持されている。
【００８１】
シリンダー錠５３の内筒５６がロック位置から反時計回り方向のロック解除位置に回転操作されたときにはギア１９９がガード位置から反時計回り方向のガード解除位置に回転し、主動ワイヤ１９７がギア１９９を介して左方へスライドする。この場合には、図１１の（ｂ）に示すように、４本の従動ワイヤ１９１のそれぞれがスプリング１９３のばね力でギア１９９と反対側に押し出されるので、左上クランプ８６と左下クランプ８７と右上クランプ８８と右下クランプ８９のそれぞれがガード位置からガード解除位置に移動する。
【００８２】
シリンダー錠５３の内筒５６がロック解除位置から時計回り方向のロック位置に操作されたときにはギア１９９がガード解除位置から時計回り方向のガード位置に回転し、主動ワイヤ１９７がギア１９９を介して右方へスライドする。この場合には、図１１の（ａ）に示すように、４本の従動ワイヤ１９１のそれぞれがスプリング１９３のばね力に抗してギア１９９側に引付けられるので、左上クランプ８６と左下クランプ８７と右上クランプ８８と右下クランプ８９のそれぞれがガード解除位置からガード位置に移動する。即ち、左上クランプ８６〜右下クランプ８９のそれぞれはシリンダー錠５３の内筒５６がロック位置に操作されることに連動してガード位置に移動し、シリンダー錠５３の内筒５６がロック解除位置に操作されることに連動してガード解除位置に移動する。
【００８３】
上記実施例５においては、左上クランプ８６と左下クランプ８７と右上クランプ８８と右下クランプ８９とケース１８１のそれぞれを内枠２に装着し、左上クランプ８６〜右下クランプ８９のそれぞれをガード位置およびガード解除位置相互間で移動操作するワイヤ機構を内枠２に装着しても良い。
【００８４】
上記実施例５においては、ギア１９９をモータによって回転操作する構成としても良い。この構成の場合、シリンダー錠５３の内筒５６がロック位置に操作されたことを検出する第１のセンサおよびロック解除位置に操作されたことを検出する第２のセンサを設け、モータの回転方向を第１のセンサおよび第２のセンサのそれぞれの検出結果に応じて制御することに基づいて左上クランプ８６〜右下クランプ８９のそれぞれをガード位置およびガード解除位置相互間で移動操作すると良い。
【００８５】
上記実施例５においては、ギア１９９をモータの回転軸に連結し、遠隔操作装置からモータに空中伝播信号を送信することに基づいてギア１９９を回転操作し、左上クランプ８６〜右下クランプ８９のそれぞれをガード位置およびガード解除位置相互間で遠隔操作しても良い。
【実施例６】
【００８６】
内枠２には、図１３に示すように、枠挿入部２１１が形成されている。この枠挿入部２１１は内枠２の上辺部と左側辺部と右側辺部のそれぞれを跨ぐコ字状をなすものであり、内枠２の枠挿入部２１１内には前枠４の閉鎖状態で前枠４の上板と左側板と右側板のそれぞれが挿入される。この枠挿入部２１１は前枠４が閉鎖状態にロックされた状態で不正行為者が前枠４を開放状態に向けて無理に操作したときに内枠２および前枠４相互間に隙間が生じることを抑えるものであり、内枠２の外部から内枠２および前枠２相互間を通して内枠２の内部にピアノ線等の不正器具を挿入することを困難にする。
【００８７】
上記実施例１〜実施例６のそれぞれにおいては、左上クランプ８６と左下クランプ８７と右上クランプ８８と右下クランプ８９の４部材に換えて上クランプと下クランプと左クランプと右クランプの４部材を用いても良い。これら上クランプ〜右クランプのそれぞれは前後方向から見て直線状をなすものであり、上クランプは前ガード枠７１および後ガード枠７５相互間を上辺部でクランプし、下クランプは下辺部でクランプし、左クランプは左辺部でクランプし、右クランプは右辺部でクランプする。
【図面の簡単な説明】
【００８８】
【図１】実施例１を示す図（パチンコ遊技機を前方から示す図）
【図２】内枠を示す図（ａはＸａ視図、ｂはＸｂ線に沿う断面図、ｃはＸｃ線に沿う断面図）
【図３】前枠を示す図（ａはＸａ視図、ｂはＸｂ線に沿う断面図、ｃはＸｃ線に沿う断面図）
【図４】シリンダー錠の内部構成を示す断面図
【図５】前ガード枠および後ガード枠を示す図
【図６】実施例２を示す図５相当図
【図７】実施例３を示す図（ａはガード部材をガード位置で示す図、ｂはガード部材をガード解除位置で示す図、ｃはＸ線に沿う断面図）
【図８】（ａ）はワイヤを示す図、（ｂ）はワイヤの巻取り機構を示す図
【図９】実施例４を示す図（ワイヤの連結状態を示す図）
【図１０】実施例５を示す図（ａはガード部材をガード位置で示す図、ｂはガード部材をガード解除位置で示す図）
【図１１】（ａ）はケースの内部構成をガード部材のガード位置で示す図、（ｂ）はケースの内部構成をガード部材のガード解除位置で示す図
【図１２】ギアケースの内部構成を示す図
【図１３】実施例６を示す図（ａはパチンコ遊技機を前方から示す図、ｂはＸ線に沿う断面図）
【符号の説明】
【００８９】
２は内枠（後枠）、４は前枠、１６は発射レール、１８は遊技盤、２３は窓、２４は遊技領域、５３はシリンダー錠（錠機構）、５６は内筒、５８は鍵、７１は後ガード枠、７２は後ガード部、７３は後フランジ部、７５は前ガード枠、７６は前ガード部、７７は前フランジ部、８６は左上クランプ（ガード部材）、８７は左下クランプ（ガード部材）、８８は右上クランプ（ガード部材）、８９は右下クランプ（ガード部材）、９１は前板部、９２は後板部、９３は連結板部を示している。
【図１】
0005056460.tif 000002
【図２】
0005056460.tif 000003
【図３】
0005056460.tif 000004
【図４】
0005056460.tif 000005
【図５】
0005056460.tif 000006
【図６】
0005056460.tif 000007
【図７】
0005056460.tif 000008
【図８】
0005056460.tif 000009
【図９】
0005056460.tif 000010
【図１０】
0005056460.tif 000011
【図１１】
0005056460.tif 000012
【図１２】
0005056460.tif 000013
【図１３】
0005056460.tif 000014